(57)【要約】【課題】センサー素子を所定の位置にレイアウトするためのセンサーシートパッケージを提供する。【解決手段】複数のセンサー素子１１を就寝者の下に配置するための複数のセンサーシート１０と、複数のセンサーシート１０を収納する防水カバー２０とを有するセンサーシートパッケージ１を提供する。防水カバー２０は、複数の袋状の区画２２を含み、それぞれの袋状の区画２２にセンサーシート１０が収納される。さらに、センサーシートパッケージ１は、スリット３１により分割された補強シート３０を有し、補強シート３０の分割された第１の領域３５もそれぞれの袋状の区画２２に収納される。【選択図】図２
2010051359.tif 000002
【特許請求の範囲】
【請求項１】
就寝者の荷重変化または振動を検出するように複数のセンサー素子を前記就寝者の下に配置するための複数のセンサーシートと、
前記複数のセンサーシートを収納する防水カバーとを有するセンサーシートパッケージであって、
前記複数のセンサーシートの各センサーシートは、前記複数のセンサー素子および前記複数のセンサー素子からの信号を収集するための配線がレイアウトされたセンサー領域と、前記センサー領域の上縁に沿って設けられた、他のセンサーシートと接続するケーブルが設置される接続領域とを含み、
前記防水カバーは、それぞれ独立した複数の袋状の区画であって、各袋状の区画が少なくとも一方の幅方向の縁で繋がった収納領域と、前記収納領域の上縁に沿って設けられた、前記複数の袋状の区画を連通する領域とを含み、前記複数の袋状の区画のそれぞれに前記各センサーシートの前記センサー領域が収納され、前記連通する領域に前記各センサーシートの前記接続領域が収納されているセンサーシートパッケージ。
【請求項２】
請求項１において、さらに、
前記複数のセンサーシートとともに、前記複数のセンサーシートの裏面に配置されるように前記防水カバーに収納された補強シートを有し、
前記補強シートは、スリットにより分断された複数の第１の領域と、前記複数の第１の領域の上縁に沿って設けられた、帯状に連続した第２の領域とを含み、前記第１の領域が前記複数の袋状の区画のそれぞれに収納され、前記第２の領域が前記連通する領域に収納されているセンサーシートパッケージ。
【請求項３】
請求項１または２において、
前記防水カバーの前記連通する領域が、前記就寝者の頭が載る枕の近傍に、前記就寝者の両肩に沿って配置されるセンサーシートパッケージ。
【請求項４】
請求項１ないし３のいずれかにおいて、
前記複数のセンサーシートとともに、前記複数のセンサーシートの前面に配置されるように、前記防水カバーの前記連通する領域に収納された緩衝シートをさらに有する、センサーシートパッケージ。
【請求項５】
就寝者の荷重変化または振動を検出するように複数のセンサー素子を前記就寝者の下に配置するための複数のセンサーシートと、前記複数のセンサーシートを収納する防水カバーとを有するセンサーシートパッケージの製造方法であって、
前記複数のセンサーシートの各センサーシートは、前記複数のセンサー素子および前記複数のセンサー素子からの信号を収集するための配線がレイアウトされたセンサー領域と、前記センサー領域の上縁に沿って設けられた、他のセンサーシートと接続するケーブルが設置される接続領域とを含み、
前記防水カバーは、それぞれ独立した複数の袋状の区画であって、各袋状の区画が少なくとも一方の幅方向の縁で繋がった収納領域と、前記収納領域の上縁に沿って設けられた、前記複数の袋状の区画を連通する領域とを含み、前記連通する領域の上縁は開いており、
当該製造方法は、
前記複数の袋状の区画のそれぞれに、前記連通する領域を通って前記各センサーシートの前記センサー領域を収納することと、
前記連通する領域を介して前記ケーブルにより隣接するセンサーシートを接続することと、
前記連通する領域の上縁を閉じることとを有する、製造方法。
【請求項６】
請求項５において、
前記センサーシートパッケージは、さらに、前記複数のセンサーシートとともに前記防水カバーに収納された補強シートを有し、
前記補強シートは、スリットにより分断された複数の第１の領域と、前記複数の第１の領域の上縁に沿って設けられた、帯状に連続した第２の領域とを含み、
当該製造方法は、さらに、
前記連通する領域の上縁を閉じる前に、前記補強シートの前記第１の領域を前記複数の袋状の区画のそれぞれに収納し、前記第２の領域が前記連通する領域に収納されるようにすることを有する、製造方法。
【発明の詳細な説明】
【技術分野】
【０００１】
本発明は、生体情報検出に用いるセンサーシートのパッケージングに関するものである。
【背景技術】
【０００２】
特許文献１には、上ＰＵフィルム、感圧素子層、ＰＶＣシート、下ＰＵフィルムが積層されて形成され、感圧素子層及びＰＶＣシートが分割されていることで、折り曲げ部にて折り曲げ可能なセンサシートが開示されている。また、人間の頸側点高と股下高との間の範囲にて測定すれば、呼吸周波数が出現する範囲のほぼ全体を捉えることができ、例えば平均的な日本人の成人であれば８００ｍｍ程度の長さが相当する。したがって、センサシートの縦長を例えば８００ｍｍとすれば、セミダブルベッドに設置する場合でも横幅は１２００ｍｍ程度であるため、３つ折りすれば、４００ｍｍ×８００ｍｍのサイズとなり、十分に携帯容易なサイズとなることが開示されている。
【特許文献１】特開２００５−１３１０３６号
【発明の開示】
【発明が解決しようとする課題】
【０００３】
特許文献１のセンサシートは、上ＰＵフィルム、感圧素子層、ＰＶＣシート、下ＰＵフィルムが積層され、さらに、上ＰＵフィルムおよび下ＰＵフィルムは透明で４辺同士を接続することにより内部の感圧素子層を外部雰囲気から隔離している。このため、例えば就寝者の失禁、汗等によって感圧素子の検出性能が影響されず、また、耐久性を向上できるという効果が得られている。
【０００４】
このようなセンサーシートをさらに低コストで製造でき、また、耐久性をさらに向上できることが要望されている。
【課題を解決するための手段】
【０００５】
本発明の態様の１つは、就寝者の荷重変化または振動を検出するように複数のセンサー素子を就寝者の下に配置するための複数のセンサーシートと、複数のセンサーシートを収納する防水カバーとを有するセンサーシートパッケージである。複数のセンサーシートの各センサーシートは、複数のセンサー素子および複数のセンサー素子からの信号を収集するための配線がレイアウトされたセンサー領域と、センサー領域の上縁に沿って設けられた、他のセンサーシートと接続するケーブルが設置される接続領域とを含む。防水カバーは、それぞれ独立した複数の袋状の区画であって、各袋状の区画の幅は各センサーシートの幅より若干大きく、各袋状の区画が少なくとも一方の幅方向の縁で繋がった収納領域と、収納領域の上縁に沿って設けられた、複数の袋状の区画を連通する領域とを含み、複数の袋状の区画のそれぞれに各センサーシートのセンサー領域が収納され、連通する領域に各センサーシートの接続領域が収納されている。
【０００６】
上ＰＵフィルム、感圧素子層、ＰＶＣシート、下ＰＵフィルムを積層し、さらに、上ＰＵフィルムおよび下ＰＵフィルムの４辺同士を接続することにより一体（１つのシート体）とすることは、シート体としての一体感はある。しかしながら、センサーシートの目的が、複数のセンサー素子を就寝者の下の適当な位置に保持しておくというものであれば、これらの層が一体的である必要はほとんどない。
【０００７】
これに対し、上記のセンサーシートパッケージでは、複数の袋状の区画を予め備えた防水シートを用い、それぞれの袋状の区画に、センサー素子がレイアウトされたセンサーシートを収納している。各袋状の区画の幅はセンサーシートを収納できるようにセンサーシートの幅より若干（収納時の作業性を向上できる程度、公差の範囲程度）大きい。したがって、各センサーシートは、各袋状の区画の中で、袋状の区画のサイズとセンサーシートのサイズとの公差の範囲で動く可能性がある。しかしながら、複数のセンサーシートは、それらを複数の袋状の区画にそれぞれ収納した防水シートにより連結され、複数のセンサーシートにレイアウトされた複数のセンサー素子は十分な精度で相互の位置が保持される。
【０００８】
このセンサーシートパッケージでは、防水カバーの袋状の区画にセンサーシートを収納することで製造できる。このため、防水カバーと、センサーシートとを独立して製造可能であり、製造コストを下げることができる。また、防水カバーの袋状の区画に収納されたセンサーシートのいずれかに障害が発生すれば、障害が発生したセンサーシートだけを交換することも容易である。また、防水カバーが損傷すれば防水カバーだけを交換することも容易である。
【０００９】
センサーシートパッケージは、複数のセンサーシートとともに、センサーシートの裏面に配置されるように防水カバーに収納された補強シートを有することが望ましい。補強シートは、スリットにより分断された複数の第１の領域と、複数の第１の領域の上縁に沿って設けられた、帯状に連続した第２の領域とを含み、第１の領域が複数の袋状の区画のそれぞれに収納され、第２の領域が連通する領域に収納される。この補強シートは、第１の領域がセンサー素子の感度向上に寄与する。また、第１の領域はスリットにより分断されているので、センサーシートパッケージを折りたたむときに抵抗となりにくい。一方、第２の領域は帯状に連続しているので、センサーシートパッケージを折りたたむときに若干の抵抗となり、防水シートの連通する領域を通る配線が鋭い角度で折り曲げられて損傷するのを抑制できる。
【００１０】
このセンサーシートパッケージは、防水カバーの連通する領域が、就寝者の頭が載る枕の近傍に、就寝者の両肩に沿って配置されるものである。すなわち、防水カバーの連通する領域が就寝者の首の下近傍に配置され、独立した複数の袋状の区画を備えた収納領域が就寝者の上胴部の下に配置される。
【００１１】
このセンサーシートパッケージは、さらに、複数のセンサーシートとともに、複数のセンサーシートの前面に配置されるように、防水カバーの連通する領域に収納された緩衝シートをさらに有することが望ましい。パッキンあるいはスポンジなどの緩衝用シートで接続用のケーブルおよび／または他のケーブル接続用のパネルなどを覆うことができ、寝心地を改善できる。。
【００１２】
本発明の他の態様の１つは、複数のセンサーシートと、複数のセンサーシートを収納する防水カバーとを有するセンサーシートパッケージの製造方法である。当該製造方法は、以下の工程を有する。
１）複数の袋状の区画のそれぞれに、連通する領域を通って各センサーシートのセンサー領域を収納すること。
２）連通する領域を介してケーブルにより隣接するセンサーシートを接続すること。
３）連通する領域の上縁を閉じること。
【００１３】
この製造方法は、さらに、以下の工程を有することが望ましい。
４）連通する領域の上縁を閉じる前に、補強シートの第１の領域を複数の袋状の区画のそれぞれに収納し、第２の領域が連通する領域に収納されるようにすること。
【発明を実施するための最良の形態】
【００１４】
図１に、本発明の実施例のセンサーシートパッケージを示している。図２に、このセンサーシートパッケージ１の構成を展開した状態で示している。就寝者の荷重変化または振動を検出するように複数のセンサー素子１１を就寝者の下に配置するための複数のセンサーシート１０と、複数のセンサーシート１０を収納する防水カバー２０と、複数のセンサーシート１０とともに防水カバー２０に収納されている補強シート３０と、ケーブルを設置する部分の寝心地を改善するための緩衝シート５０とを有する。本例では、３枚のセンサーシート１０を備えたセンサーシートパッケージ１を示しているが、センサーシート１０の数はこれに限定されない。このセンサーシートパッケージ１は、全体が横長のシート状であり、センサーシートパッケージ１の１つのコーナーには、センサーシート１０により検出された情報を出力するためのコントロールボックス４０が取り付けられている。
【００１５】
図３に、３枚のセンサーシート１０が電気的に接続された状態を示している。それぞれのセンサーシート１０は、複数のセンサー素子１１および複数のセンサー素子１１からの信号を収集するための配線１２がレイアウト（割り付け）されたセンサー領域１５と、センサー領域１５の上縁１５ａに沿って設けられた接続領域１６とを含む。接続領域１６には、センサー選択基板１７が配置されている。この接続領域１６には、他のセンサーシート１０と接続し、さらに他のセンサーシート１０を介してコントロールボックス４０へ信号を出力するためのフレキシブルケーブル（フラットケーブル）１８が設置される。センサーシート１０は、たとえば、厚さ０．２５ｍｍのＰＥＴフィルムまたはＰＥＮフィルムであり、５５個の圧力センサー（感圧素子、たとえば、ピエゾフィルム素子、ＰＶＤＦ素子、メンブレン（薄膜）素子、静電容量素子）１１がセンサー素子として千鳥状に配置されている。
【００１６】
フラットケーブル１８は、両端にコネクタ１９を備え、隣接するセンサーシート１０のセンサー選択基板１７を接続するためのケーブルである。また、コントロールボックス４０が一方の端に取り付けられるセンサーシート１０においては、フラットケーブル１８によりセンサー選択基板１７とコントロールボックス４０とが接続される。これにより、すべてのセンサーシート１０のセンサー素子１１を、コントロールボックス４０を介して選択でき、それぞれのセンサー素子１１により検出された信号を、コントロールボックス４０を介して外部のホストマシンに出力できる。これらのフラットケーブル１８は、各センサーシート１０の接続領域１６に設置される。
【００１７】
防水カバー２０は、２枚のフィルム２１ａおよび２１ｂが溶着または縫製などの方法により合わされており、それぞれ独立した複数（３つ）の袋状の区画２２を有する。フィルム２１ａおよび２１ｂは、たとえば、厚さ０．３ｍｍのポリウレタン樹脂フィルムである。各々の袋状の区画２２は、底縁２２ｂと、幅方向の両縁２２ａとが溶着などにより閉じられており、上縁２２ｃが開いている。すなわち、各袋状の区画２２は、幅方向の縁２２ａおよび底縁２２ｂは水が入らないように閉じられている（密閉されている）。
【００１８】
各袋状の区画２２は相互の境界となる幅方向の縁２２ａが溶着されており、本例では、３つの袋状の区画２２が幅方向の縁２２ａで繋がった収納領域２５が形成されている。さらに、防水カバー２０は、収納領域２５の上縁２５ａ、すなわち、各袋状の区画２２の上縁２２ｃに沿って設けられた、複数の袋状の区画２２を連通する領域２６を含む。センサーシートパッケージ１では、３つの袋状の区画２２のそれぞれに、各センサーシート１０のセンサー領域１５が収納される。一方、これらの袋状の区画２２に共通するように設けられた防水カバー２０の連通する領域２６に各センサーシート１０の接続領域１６および接続領域１６に設置されたケーブル１８が収納されている。
【００１９】
補強シート３０は、スリット３１により分断された複数（３つ）の第１の領域３５と、３つの第１の領域３５の上縁３５ａに沿って設けられた、帯状に連続した第２の領域３６とを含む。センサーシートパッケージ１では、３つの第１の領域３５は３つの袋状の区画２２にそれぞれ収納され、第２の領域３６が連通する領域２６に収納されている。補強シート３０は、たとえば、厚さ１ｍｍのＥＶＡ（エチレン酢酸ビニル）ターポリン、すなわち、ポリエステル繊維をＥＶＡフィルムでサンドした素材である。
【００２０】
ＰＥＴフィルム製またはＰＥＮフィルム製のセンサーシート１０だけでは屈曲に対する耐久性が不足する可能性がある。このため、補強シート３０の第１の領域３５を袋状の区画２２にセンサーシート１０と同梱し、補強シート３０をセンサーシート１０の下（裏面）に配置することにより耐久性を向上させている。また、センサーシートパッケージ１を低反発マットレス、ジェルマットレス、エアーマットレスなどの寝具に載せると、センサー素子１１に加わるべき圧力が分散されやすい。補強シート３０をセンサーシート１０の下（裏面）に配置することにより圧力分散を抑制し、上記のような寝具に敷かれた場合の感度を向上している。補強シート３０は塩ビシートなどであってもよい。
【００２１】
緩衝シート５０は、３枚のセンサーシート１０の接続領域１６の上側（表面）を連続して覆うように延びた、ポリエチレン製で弾性のある帯状のシートである。緩衝シート５０は、各センサーシート１０のフラットケーブル１８およびセンサー選択基板１７の上側（表面）を覆い、就寝者５の寝心地を緩和するためのシート（フィルム）である。センサーシート１０の接続領域１６は裏面側に配置された補強シート３０と表面側に配置された緩衝シート５０とにより挟まれた状態で防水シート２０に収納される。この緩衝シート５０は、短いスリット５１により３つの袋状の区画２２に挿入できる部分５２を備えており、防水シート２０に収納された状態で横方向にずれるのを防止できるようになっている。
【００２２】
このセンサーシートパッケージ１は、図２に示すように、防水カバー２０の収納領域２５の３つ袋状の区画２２のそれぞれに、連通する領域２６を通って各センサーシート１０のセンサー領域１５を収納する。これにより、防水カバー２０の連通する領域２６にはそれぞれのセンサーシート１０の接続領域１６が収納される。次に、図３に示すように、連通する領域２６に収納される各センサーシート１０の接続領域１６のセンサー選択基板１７にケーブル１８のコネクタ１９を接続し、隣接するセンサーシート１０を電気的に接続する。
【００２３】
さらに具体的には、各センサーシート１０の接続領域１６には、センサー選択基板１７の両側にスリット１６ａが設けられており、フラットケーブル１８を挟み込み、フラットケーブル１８のずれや浮き上がりを防止できるようになっている。さらに、図２および図３には示されていないが、ＰＥＴフィルムによりフラットケーブル１８を挟み込んで補強している。各センサーシート１０がケーブル１８により接続されると、緩衝シート５０を各センサーシート１０の接続領域１６に粘着剤により貼り付ける。
【００２４】
センサーシート１０を防水カバー２０に収納する工程と前後して、典型的には、センサーシート１０を防水カバー２０に収納する前に、補強シート３０の３つに分断された第１の領域３５を、防水カバー２０の袋状の区画２２のそれぞれに収納する。これにより、補強シート３０の第２の領域３６が防水カバー２０の連通する領域２６に収納される。
【００２５】
防水カバー２０の連通する領域２６の上縁２６ａを閉じる。防水カバー２０の上縁２６ａは、他の防水カバー２０の縁と同様に溶着あるいは縫製により密閉してもよい。また、防水カバー２０の上縁２６ａはジッパーなどの開閉可能な手段により閉じてもよい。いずれの場合も、防水カバー２０の他の縁２２ａおよび２２ｂは密閉されているので、防水カバー２０の上縁２６ａを閉じることにより、内部に収納されたセンサーシート１０を外部雰囲気から隔離でき、就寝者の失禁、汗等によってセンサー素子１１の検出性能が低下するのを防止できる。
【００２６】
防水カバー２０の上縁２６ａをジッパーなどの開閉可能な手段で閉じることにより、センサーシート１０および配線接続のメンテナンスが容易に行える。また、センサーシート１０のいずれかに障害が発生したときには、防水カバー２０の上縁２６ａを開けることにより、障害が発生したセンサーシート１０だけをとり替えることができる。また、防水カバー２０に損傷が発生した場合は、上縁２６ａを開けて防水カバー２０のみをとり替えることができる。
【００２７】
さらに、防水カバー２０の両側から、コントロールボックス４０のベース４２と、本体４１とを防水カバー２０を挟み込むように取り付ける。コントロールボックス４０の本体４１は、最も端の袋状の区画２２に収納されたセンサーシート１０の連結用のケーブル１８に接続される。３枚のセンサーシート１０のセンサー選択基板１７は、ケーブル１８により直列に接続される。それぞれのセンサーシート１０のセンサー選択基板１７は、それぞれのセンサーシート１０の複数のセンサー素子１１と配線１２を介して並列に接続されている。センサー選択基板１７は、マルチプレクサ（シフトレジスタ）を内蔵しており、コントロールボックス４０のマイコンからの制御により、センサー素子１１の出力を順番に取得し、コントロールボックス４０に伝達する。
【００２８】
図４に、このセンサーシートパッケージ１をベッド３に配置した状態を示している。このセンサーシートパッケージ１は、防水カバー２０の連通する領域２６が、就寝者５の頭５ａが載る枕６の近傍に、就寝者５の両肩５ｂに沿って配置される。すなわち、防水カバー２０の連通する領域２６が就寝者５の首５ｃの下近傍に配置され、独立した複数の袋状の区画２２を備えた収納領域２５が就寝者５の上胴部５ｄの下に配置される。したがって、防水カバー２０の収納領域２５に収納されたセンサーシート１０のセンサー領域１５は就寝者５の上胴部５ｄの下に配置され、センサー素子１１により就寝者５の上胴部５ｄの動きおよび振動を検出でき、コントロールボックス４０を介して検出結果を出力できる。
【００２９】
就寝者５の上胴部５ｄの動きおよび振動は、就寝者５の睡眠状態、特に、睡眠時の呼吸の状態を反映しており、コントロールボックス４０を介して得られた検出結果をパーソナルコンピュータなどにインストールされたソフトウェアにより解析することで、睡眠時無呼吸症候群の症状を解析したり、治療を行うことが可能となる。また、ベッド３に横たわった患者や就寝者５のその他の生体情報をセンサーシート１０のセンサー素子１１を介して取得し、睡眠状態をモニターしたり、容体の急変などを知ることができる。
【００３０】
このセンサーシートパッケージ１では、袋状の区画２２に、センサー素子１１がレイアウトされたセンサーシート１０を収納している。各袋状の区画２２の幅Ｗ１はセンサーシート１０を収納できるようにセンサーシート１０の幅Ｗ２より若干（収納時の作業性を向上できる程度、公差の範囲程度）大きいのが普通である。したがって、各センサーシート１０は、各袋状の区画２２の中で公差の範囲で動く可能性がある。
【００３１】
しかしながら、３つのセンサーシート１０は、３つの袋状の区画２２にそれぞれ収納された状態で防水シート２０により連結されており、就寝者５が寝返りをしたりするなどのためにベッド３の上で大きく動いてもセンサーシート１０同士の位置関係は安定している。したがって、各センサーシート１０が各袋状の区画２２の中で公差の範囲で動いても、ベッド３の歪みなどの他の要因によるセンサー素子１１の移動に比較すれば十分に小さい。また、その程度のセンサー素子１１の位置の変位は、複数のセンサー素子１１から得られる信号を処理する上でほとんど障害にならない。したがって、このセンサーシートパッケージ１により、複数のセンサーシート１０にレイアウトされた複数のセンサー素子１１を十分な精度で就寝者５の下の所定の位置に保持できる。
【００３２】
また、センサー選択基板１７およびケーブル１８が収納されている防水カバー２０の連通する領域２６が就寝者５の首５ｃの下近傍に配置される。通常の姿勢では、就寝者５の首５ｃは枕６により浮いた状態となっており、センサーシートパッケージ１は、就寝者５がセンサー選択基板１７などを気にせずに寝やすい構成となっている。さらに、このセンサーシートパッケージ１では、パッキンあるいはスポンジシートのような緩衝性のあるシート５０を、センサー選択基板１７およびケーブル１８の上側（表面側）に貼り付けて寝心地を改善している。
【００３３】
一方、このセンサーシートパッケージ１では、防水カバー２０の袋状の区画２２にセンサーシート１０を収納することで製造できる。このため、防水カバー２０と、センサーシート１０とを独立して製造可能であり、製造コストを下げることができる。また、防水カバー２０の袋状の区画２２に収納されたセンサーシート１０のいずれかに障害が発生すれば、障害が発生したセンサーシート１０だけを交換することも容易である。また、防水カバー２０が損傷すれば防水カバー２０だけを交換することも容易である。
【００３４】
さらに、このセンサーシートパッケージ１は、複数のセンサーシート１０とともに補強シート３０のスリット３１により分断された第１の領域３５を袋状の区画２２に収納している。したがって、防水カバー２０の袋状の区画２２により、センサーシート１０の下に補強シート３０の第１の領域３５を保持でき、センサーシート１０を補強するとともにセンサー素子１１の感度向上に寄与させることができる。
【００３５】
また、センサーシートパッケージ１の上に就寝者５が横たわれば、防水シート２０の上下のフィルム２１ａおよび２１ｂと、センサーシート１０のセンサー素子１１および補強シート３０とは密着された状態になるが、センサーシート１０は袋状の区画２２の内部でサイズの公差の範囲で移動することが可能である。したがって、センサー素子１１による凹凸と、防水シート２０のフィルム２１ａおよび２１ｂとの接触する位置は、公差の範囲で微妙に変化することが可能であり、常に同じ位置が凹凸のエッジに接触して摩耗することを抑制できる。したがって、センサーシートパッケージ１の耐久性をさらに向上できる。
【００３６】
また、このセンサーシートパッケージ１は、袋状の区画２２が幅方向の縁２２ａで溶着された状態で接続されているが、袋状の区画２２に収納されたセンサーシート１０は独立しており、また、補強シート３０の第１の領域３５はスリット３１により分断されている。このため、図５に示すように、本例のセンサーシートパッケージ１は、３つに簡単に折りたたむことができる。特に、補強シート３０の第１の領域３５はスリット３１により分断されているので、センサーシートパッケージ１を折りたたむときに抵抗となりにくい。一方、補強シート３０の第２の領域３６は帯状に連続しているので、センサーシートパッケージ１を折りたたむときに若干の抵抗となる。第２の領域３６は、防水シート２０の連通する領域２６に収納されており、連通する領域２６を通るケーブル１８は、補強シート３０の第２の領域３６にサポートされ比較的大きな半径を描くように折りたたまれる。したがって、連通する領域２６を通るケーブル１８が鋭角で折り曲げられ、損傷するのを防ぐことができる。
【００３７】
なお、上記ではセンサーシートパッケージ１０は３つ折りできる構成であるが、２つ折りであっても４つ折り以上であってもよい。
【図面の簡単な説明】
【００３８】
【図１】センサーシートパッケージを示す斜視図。
【図２】センサーシートパッケージの製造方法を示すとともに、センサーシートパッケージの構成を展開して示す図。
【図３】センサーシートが連結された状態を示す図。
【図４】センサーシートパッケージがベッドに設置された状態を示す図。
【図５】センサーシートパッケージが折りたたまれた状態を示す図。
【符号の説明】
【００３９】
１  センサーシートパッケージ
１０  センサーシート、  １１  センサー素子
２０  防水カバー、  ２２  袋状の区画
３０  補強シート、  ４０  コントロールボックス
【図１】
2010051359.tif 000003
【図２】
2010051359.tif 000004
【図３】
2010051359.tif 000005
【図４】
2010051359.tif 000006
【図５】
2010051359.tif 000007